(57)【要約】      （修正有）【解決手段】本発明は、容器３における液体を抽出する装置に係る。その装置は、容器から液体を抽出するための抽出部と、一端が前記容器の容器カバー２に設置された通孔を通って前記抽出部に連結されるホース１と、前記ホースの他端が連結される貫通孔を備える固定ブロック５と、一端が前記容器カバーに当接され、他端が前記固定ブロックに当接され、前記貫通孔が前記容器の内側の底部に対向するように前記固定ブロックを前記容器の内側の底部に当接させる当接部材４と、を備え、前記固定ブロックは、前記ホースに連結される面とは逆の面に、前記固定ブロックの貫通孔と前記容器における液体とを連通する連通部が形成されている。【効果】固定ブロックを容器の底部に当接させることができるので、容器の底部の液体を全部に抽出することができる。【選択図】図１
2019151399.tif 000002
【特許請求の範囲】
【請求項１】
容器から液体を抽出するための抽出部と、
一端が前記容器の容器カバーに設置された通孔を通って前記抽出部に連結されるホースと、
前記ホースの他端が連結される貫通孔を備える固定ブロックと、
一端が前記容器カバーに当接され、他端が前記固定ブロックに当接され、前記貫通孔が前記容器の内側の底部に対向するように前記固定ブロックを前記容器の内側の底部に当接させる当接部材と、を備え、
前記固定ブロックは、前記ホースに連結される面とは逆の面に、前記固定ブロックの貫通孔と前記容器における液体とを連通する連通部が形成されている、容器における液体を抽出する装置。
【請求項２】
前記ホースは通孔を備える連結部材を介して前記固定ブロックに連結されている、請求項１に記載の装置。
【請求項３】
前記ホースが前記連結部材の一端の外周面に係合され、
前記連結部材の他端が前記固定ブロックの貫通孔に螺合される、請求項２に記載の装置。
【請求項４】
前記当接部材は前記固定ブロックに螺合されることによって前記固定ブロックに当接される、請求項１に記載の装置。
【請求項５】
前記当接部材は前記固定ブロックと一体に形成されることによって前記固定ブロックに当接される、請求項１に記載の装置。
【請求項６】
前記当接部材はチューブであり、
前記チューブの外径が、前記容器カバーに設置された通孔と前記固定ブロックの貫通孔の直径よりも大きく、前記チューブの内径が前記ホースの外径より大きく、且つ、前記ホースが前記チューブを挿通して前記固定ブロックに連結される、請求項１に記載の装置。
【請求項７】
前記固定ブロックの、前記チューブが当接される面には、内部にくぼむ凹部が形成され、
前記チューブが、前記凹部に当接される、請求項６に記載の装置。
【請求項８】
前記ホースと、前記固定ブロックと、前記当接部材とは、耐食性材料からなる、請求項１から７のいずれか一項に記載の装置。
【請求項９】
前記固定ブロックは、ポリ四フッ化エチレンと、ポリエーテルエーテルケトンと、ポリプロピレンとの中の一つ又は複数の材料からなる、請求項８に記載の装置。
【発明の詳細な説明】
【技術分野】
【０００１】
本発明は、容器における液体を抽出する装置に係るものである。
【背景技術】
【０００２】
従来、ボトルから液体を抽出する時、ホースを直接に外からボトルに挿入して抽出する。しかしながら、ホースを固定させずに使用すると、ホースが反り返る可能性があり、液体が少ない時、ボトルの底部の液体を順調に抽出することができない。
【０００３】
従って、ホースに固定ブロックが連結されてホースをボトルの底部に固定させる技術案が開示された。しかし、液体は腐食性があれば、固定ブロックは、耐食性の材料からなる必要がある。普通は、ＰＴＦＥ、ＰＥＥＫ、ＰＰなどの材料からなる。その中、ＰＰは、価格が安いので、広く使われている。それらの材料は、特にＰＰ材料は、密度が小さいので、液体の密度が大きい場合、それらの材料からなる固定ブロックは、浮き上がり、ボトルの底部に固定されることができない。そのために、ボトルの底部の液体を順調に抽出することができない。
【発明の概要】
【発明が解決しようとする課題】
【０００４】
本発明はこのような課題に鑑みてなされたものであり、本発明の目的は、液体の密度に関わらず、固定ブロックを利用して容器の底部の液体を全部に抽出することができる容器における液体を抽出する装置を提供することにある。
【課題を解決するための手段】
【０００５】
本発明に係る容器における液体を抽出する装置は、前記容器から液体を抽出するための抽出部と、一端が前記容器の容器カバーに設置された通孔を通って前記抽出部に連結されるホースと、前記ホースの他端が連結される貫通孔を備える固定ブロックと、一端が前記容器カバーに当接され、他端が前記固定ブロックに当接され、前記貫通孔が前記容器の内側の底部に対向するように前記固定ブロックを前記容器の内側の底部に当接させる当接部材と、を備え、前記固定ブロックは、前記ホースに連結される面とは逆の面に、前記固定ブロックの貫通孔と前記容器における液体とを連通する連通部が形成されている。
【発明の効果】
【０００６】
本発明によれば、固定ブロックを容器の底部に当接させることができるので、容器の底部の液体を全部に抽出することができる。
【図面の簡単な説明】
【０００７】
【図１】本発明の実施の形態の構成図である。
【図２】本発明の他の実施の形態の構成図である。
【発明を実施するための形態】
【０００８】
以下、図面を参照して、本発明にかかる実施の形態を説明する。
【０００９】
図１に示すように、本発明に係る容器における液体を抽出する装置は、ホース１と、当接部材４と、固定ブロック５と、図示しない抽出部と、を備える。ホース１は、一端が容器３の容器カバー２に設置された通孔を通って抽出部に連結され、他端が固定ブロック５に連結される。また、当接部材４は、一端が容器カバー２に当接され、他端が固定ブロック５に当接され、固定ブロック５を容器３の底部に当接させる。そのような構成によれば、抽出部は、ホース１と固定ブロック５を介して、容器３における液体を抽出する。また、液体の密度が固定ブロック５より大きいかどうかに関わらず、固定ブロック５が容器３の底部に固定されることができるので、容器の底部の液体を全部に抽出することができる。
【００１０】
抽出部は、容器３から液体を抽出するためのものであり、ポンプ、シリンジなどの普通の抽出装置を使用することができる。また、液体は腐食性がある場合、抽出部も相応に耐食性がある。
【００１１】
ホース１は、本分野の普通のホースを使用することができ、その材質が限られていない。また、液体は腐食性があれば、ホース１は相応に耐食性があれば良い。
【００１２】
固定ブロック５は、本分野の普通の固定ブロックを使用することができる。固定ブロック５は、貫通孔を備え、ホース１が当該貫通孔の一端に連結される。固定ブロックの底面（つまり、ホース１が連結される面とは、逆の面）には、貫通孔と溶液３における液体とを連通する連通部（例えば、溝など）が形成されている。また、ホース１と固定ブロック５との連結方式について、例えば、固定ブロック５の貫通孔内にホース１が係合されることが採用されても良いし、又は、連結部材の一端の外周面にホース１が係合されて、固定ブロック５の貫通孔内に連結部材の他端が係合されることが採用されても良いし、又は、連結部材の一端の外周面にホース１が係合されて、固定ブロック５の貫通孔内に連結部材の他端が螺合されることが採用されても良い。言うまでもなく、連結部材は、通孔があり、ホース１と固定ブロック５とを連結した後、液体の流路が形成されることができる。また、液体は腐食性がある場合、固定ブロック５は、耐食性があるＰＴＦＥ（ポリ四フッ化エチレン）、ＰＥＥＫ（ポリエーテルエーテルケトン）、ＰＰ（ポリプロピレン）などの材料からなり、好ましくはＰＰ材料からなる。
【００１３】
当接部材４は、一端が容器カバー２に当接され、他端が固定ブロック５に当接される長さがあり、固定ブロック５を容器３の底部に当接させる曲げ強さがあれば良く、その形状、材質などは限定されない。また、液体が腐食性を有する場合、当接部材４は相応に耐食性があれば良い。また、当接部材４は、固定ブロック５に当接されるだけで、固定ブロック５に連結されていないことでも良い。また、当接部材４は、螺合、係合などの連結方式で固定ブロック５に連結されて当接されても良い。また、当接部材４は、固定ブロック５と一体に形成されて、固定ブロック５に当接されても良い。その時、当接部材４と固定ブロック５とは、同じ材料からなることが望ましい。また、図１では、一つの当接部材４を示すが、固定ブロック５がより確実に容器３の底部に当接されるために、複数の当接部材４が設置されても良い。
【００１４】
その実施の形態によれば、当接部材４により、固定ブロック５を容器３の内側の底部に当接させるので、容器３における液体を全部に抽出することができる。
【００１５】
また、図２を参照して、本発明の他の実施の形態を説明する。
【００１６】
図２に示すように、その実施の形態には、チューブ４１を、当接部材として使用する。他の部材は、上記に説明した部材と同じであるので、相同の符号をつけて詳しい説明を省略する。
【００１７】
その実施の形態には、チューブ４１は、外径が容器カバー２に設置された通孔と固定ブロック５の貫通孔の直径より大きくて、内径がホース１の外径より大きい。且つホース１は、チューブ４１を挿通して固定ブロック５に連結される。同様に、当接部材であるチューブ４１は、一端が容器カバー２に当接され、他端が固定ブロック５に当接される。また、固定ブロック５の、チューブ４１が当接される面には、内部へくぼむ凹部が形成され、チューブ４１は、当該凹部に当接されても良い。また、チューブ４１の材料は、限られていなくて、ホース１と同じ材料であっても良い。液体が腐食性を有する場合、チューブ４１は相応に耐食性があれば良い。
【００１８】
その実施の形態によれば、チューブ４１により、固定ブロック５をより確実、簡単に容器３の内側の底部に当接させるので、容器３における液体を全部に抽出することができる。
【００１９】
また、本発明の構成によれば、予めて十分に長い当接部材４またはチューブ４１を製造して、容器カバー２と固定ブロック５との間の距離に応じて、適当な長さの当接部材４又はチューブ４１を切り取っても良い。それにより、簡単且つ便利に当接部材を入手することができる。
【００２０】
以上は本発明の実施形態を説明したが、実施形態は例示的な説明だけであり、発明範囲を限定する意図を有さない。これらの実施形態はその他の様々な形態によって実施され、発明の主旨を逸脱しない範囲内で様々な省略、置き換え、変更、組合せを行うことができる。これらの実施形態及びその変形は発明の範囲と主旨に含まれると同時に、請求項の範囲に記載の発明及びそれに等価な範囲内にも含まれる。
【符号の説明】
【００２１】
１      ホース
２      容器カバー
３      容器
４      当接部材
５      固定ブロック
４１      チューブ（当接部材）
【図１】
2019151399.tif 000003
【図２】
2019151399.tif 000004